(57)【要約】【課題】盗聴防止をすることができるＲＴＰパケット通信システムを提供することを目的とする。【解決手段】本発明は、ＲＴＰパケット送信装置１０とＲＴＰパケット受信装置１１とを備え、ＥＴＨＥＲＮＥＴ（登録商標）網を介して音声通信を行うＲＴＰパケット通信システムであって、ＲＴＰパケット送信装置１０には、音声１チャネルに複数のＵＤＰポート番号を割り当てる呼設定手段８と、呼設定手段８の指示で複数のＵＤＰポートでＲＴＰパケットにエンコードするＲＴＰパケットエンコーダ２とが設けられるとともに、ＲＴＰパケット受信装置１１には、複数のＵＤＰポートのＲＴＰパケットのみデコードさせる呼設定手段９と、呼設定手段９が指示したＵＤＰポートのみＲＴＰパケットをデコードするＲＴＰパケットデコーダ６とが設けられ、音声１チャネルを複数のＵＤＰポートを使用して通信を行うことを特徴とする。【選択図】図１
2005167897.tif 000002
【特許請求の範囲】
【請求項１】
ＲＴＰパケット送信装置とＲＴＰパケット受信装置とを備え、ＥＴＨＥＲＮＥＴ（登録商標）網を介して音声通信を行うＲＴＰパケット通信システムであって、前記ＲＴＰパケット送信装置には、音声１チャネルに複数のＵＤＰポート番号を割り当てる第１の呼設定手段と、前記第１の呼設定手段の指示で複数のＵＤＰポートでＲＴＰパケットにエンコードするＲＴＰパケットエンコーダとが設けられるとともに、前記ＲＴＰパケット受信装置には、前記音声１チャネルに関して前記複数のＵＤＰポートのＲＴＰパケットのみデコードさせる第２の呼設定手段と、前記第２の呼設定手段が指示したＵＤＰポートのみＲＴＰパケットをデコードするＲＴＰパケットデコーダとが設けられ、音声１チャネルを複数のＵＤＰポートを使用して通信を行うことを特徴とするＲＴＰパケット通信システム。
【請求項２】
前記第１の呼設定手段が、通信の設定を行うために音声チャネルが使用するＵＤＰポート番号を示す呼設定パケットを出力し、前記ＲＴＰパケット送信装置が前記ＲＴＰパケット受信装置に呼設定パケットを格納したＥＴＨＥＲＮＥＴ（登録商標）パケットを送信してから、音声通信のためのＲＴＰパケットを格納したＥＴＨＥＲＮＥＴ（登録商標）パケットを送信することを特徴とする請求項１記載のＲＴＰパケット通信システム。
【請求項３】
前記第１の呼設定手段が、呼設定パケットを暗号化して出力することを特徴とする請求項２記載のＲＴＰパケット通信システム。
【請求項４】
ＥＴＨＥＲＮＥＴ（登録商標）網を介してＲＴＰパケット通信を行うＲＴＰパケット送信装置であって、音声１チャネルに複数のＵＤＰポート番号を割り当てる呼設定手段と、前記呼設定手段の指示で複数のＵＤＰポートでＲＴＰパケットにエンコードするＲＴＰパケットエンコーダとを備えたことを特徴とするＲＴＰパケット送信装置。
【請求項５】
ＥＴＨＥＲＮＥＴ（登録商標）網を介してＲＴＰパケット通信を行うＲＴＰパケット受信装置であって、音声１チャネルに関して呼設定パケットで示された複数のＵＤＰポートのＲＴＰパケットのみデコードするように指示する呼設定手段と、前記呼設定手段が指示したＵＤＰポートのみＲＴＰパケットをデコードするＲＴＰパケットデコーダとを備えたことを特徴とするＲＴＰパケット受信装置。
【請求項６】
音声１チャネルに複数のＵＤＰポート番号を割り当て、音声１チャネルにつき複数のＵＤＰポートを使用してＲＴＰパケットにエンコードし、該ＲＴＰパケットを格納したＥＴＨＥＲＮＥＴ（登録商標）パケットをＥＴＨＥＲＮＥＴ（登録商標）網に送信し、受信後に得られたＲＴＰパケットを前記複数のＵＤＰポートのみでデコードして音声出力することを特徴とするＲＴＰパケット通信方法。
【請求項７】
呼設定パケットを使ってＵＤＰポート番号を相手端末に伝達し、その後音声通信のためのＲＴＰパケットを送信することを特徴とする請求項６記載のＲＴＰパケット通信方法。
【請求項８】
呼設定パケットを暗号化することを特徴とする請求項７記載のＲＴＰパケット通信方法。
【発明の詳細な説明】
【技術分野】
【０００１】
本発明は、ＩＰ網で音声通信を行うためのＲＴＰ（Ｒｅａｌ−ｔｉｍｅ  Ｔｒａｎｓｐｏｒｔ  Ｐｒｏｔｏｃｏｌ）パケット通信システムとＲＴＰパケット送信装置、ＲＴＰパケット受信装置及びＲＴＰパケット通信方法に関するものである。
【背景技術】
【０００２】
従来のＲＴＰパケット通信システムは、音声通話を行う能力についての情報交換においてＵＤＰ（Ｕｓｅｒ  Ｄａｔａｇｒａｍ  Ｐｒｏｔｏｃｏｌ）パケットのポート番号を相互に交換している。このとき、音声通話路１チャネル当たり、自端末のＲＴＰパケット用のＵＤＰポート番号を１つ、相手端末に伝達する（例えば、特許文献１参照）。
【０００３】
以下、従来のＲＴＰパケット通信システムとそのＲＴＰパケット通信方法について、各図に基づいて説明する。図２は従来のＲＴＰパケット通信システムのブロック図である。図２において、１２はＡ／Ｄコンバータ、１３はＲＴＰパケットエンコーダ、１４はＥＴＨＥＲＮＥＴ（登録商標）コントローラ、１５はＥＴＨＥＲＮＥＴ（登録商標）網、１６はＥＴＨＥＲＮＥＴ（登録商標）コントローラ、１７はＲＴＰパケットデコーダ、１８はＤ／Ａコンバータ、１９，２０は呼設定手段、２１はＲＴＰパケット送信装置、２２はＲＴＰパケット受信装置である。ＲＴＰパケット送信装置２１とＲＴＰパケット受信装置２２がＲＴＰパケット通信装置を構成する。
【０００４】
まず、通信の設定を行う第一段階において、呼設定手段１９によりＲＴＰパケット送信装置２１からＲＴＰパケット受信装置２２に呼設定パケットが送信される。すなわち、ＲＴＰパケット送信装置２１においては、呼設定手段１９がいずれのＵＤＰポート番号を使用するかを示す呼設定パケットを出力する。このとき、ＵＤＰポート番号として単一のＵＤＰポート番号、例えば「８０００」が使用されることが呼設定パケットで示される。同時に呼設定手段１９は、使用するＵＤＰポート番号を指示するために、ＲＴＰパケットエンコーダ１３に対しエンコーダ制御コマンドを出力する。ＥＴＨＥＲＮＥＴ（登録商標）コントローラ１４は、呼設定パケットをＥＴＨＥＲＮＥＴ（登録商標）パケットに格納して、ＥＴＨＥＲＮＥＴ（登録商標）網１５に送信する。
【０００５】
ＲＴＰパケット受信装置２２においては、ＥＴＨＥＲＮＥＴ（登録商標）コントローラ１６が、ＥＴＨＥＲＮＥＴ（登録商標）網１５から受信したＥＴＨＥＲＮＥＴ（登録商標）パケットから呼設定パケットを抽出して出力する。呼設定手段２０は、入力される呼設定パケットから、いずれのＵＤＰポート番号が使用されるかを認識し、指示された単一のＵＤＰポート番号、この場合「８０００」のみを用いてＲＴＰパケットをデコードするように、ＲＴＰパケットデコーダ１７に対しデコーダ制御コマンドを出力する。
【０００６】
音声通話を行う第二段階では、ＲＴＰパケット送信装置２１からＲＴＰパケット受信装置２２にＲＴＰパケットが送信される。ＲＴＰパケット送信装置２１では、Ａ／Ｄコンバータ１２は入力されたアナログ音声１チャネル（１ｃｈ）分の信号のアナログデジタル変換をおこない、ＰＣＭ音声データとして出力する。ＲＴＰパケットエンコーダ１３は、呼設定手段１９から出力されるエンコーダ制御コマンドで示される単一のＵＤＰポート番号、ここでは「８０００」を用い、ＲＴＰパケットのエンコードを行う。ＥＴＨＥＲＮＥＴ（登録商標）コントローラ１４は、ＲＴＰパケットをＥＴＨＥＲＮＥＴ（登録商標）パケットに格納して、ＥＴＨＥＲＮＥＴ（登録商標）網１５に送信する。
【０００７】
ＲＴＰパケット受信装置２２において、ＥＴＨＥＲＮＥＴ（登録商標）コントローラ１６は、ＥＴＨＥＲＮＥＴ（登録商標）網１５から受信したＥＴＨＥＲＮＥＴ（登録商標）パケットからＲＴＰパケットを抽出して出力する。ＲＴＰパケットデコーダ１７は、呼設定手段２０から出力されるデコータ制御コマンドで指示されるＵＤＰポート番号のＲＴＰパケットのみデコードを行う。ＲＴＰパケットデコーダ１７でデコードされたＲＴＰパケットはＰＣＭ音声データとして出力される。Ｄ／Ａコンパータ１８は入力されたＰＣＭ音声データのデジタルアナログ変換を行い、アナログ音声１チャネル分の信号として出力する。
【特許文献１】特開２００２−３３５３４１号公報
【発明の開示】
【発明が解決しようとする課題】
【０００８】
解決しようとする問題点は、従来のＲＴＰパケット通信システムにおいては、ＲＴＰパケットは音声データが分割されてパケット化されて垂れ流されているだけであり、且つ一般的に物理レイヤがＥＴＨＥＲＮＥＴ（登録商標）網を用いて実現されるため、容易に盗聴することが可能であったという点である。
【課題を解決するための手段】
【０００９】
本発明は、ＲＴＰパケット送信装置とＲＴＰパケット受信装置とを備え、ＥＴＨＥＲＮＥＴ（登録商標）網を介して音声通信を行うＲＴＰパケット通信システムであって、ＲＴＰパケット送信装置には、音声１チャネルに複数のＵＤＰポート番号を割り当てる第１の呼設定手段と、第１の呼設定手段の指示で複数のＵＤＰポートでＲＴＰパケットにエンコードするＲＴＰパケットエンコーダとが設けられるとともに、ＲＴＰパケット受信装置には、音声１チャネルに関して複数のＵＤＰポートのＲＴＰパケットのみデコードさせる第２の呼設定手段と、第２の呼設定手段が指示したＵＤＰポートのみＲＴＰパケットをデコードするＲＴＰパケットデコーダとが設けられ、音声１チャネルを複数のＵＤＰポートを使用して通信を行うことを主要な特徴とする。
【発明の効果】
【００１０】
本発明のＲＴＰパケット通信システムとＲＴＰパケット送信装置、ＲＴＰパケット受信装置、ＲＴＰパケット通信方法は、正規の端末間では正しく通信でき、容易に盗聴することができないようにするという利点がある。
【発明を実施するための最良の形態】
【００１１】
本発明は、ＲＴＰパケットの盗聴防止という目的を、ＲＴＰセッションで音声通話路１チャンネルに複数のＵＤＰポートを割り当て、１チャンネルのＲＴＰパケットを複数のＵＤＰポートを用いて通信するようにして実現した。
【００１２】
上記課題を解決するためになされた第１の発明は、ＲＴＰパケット送信装置とＲＴＰパケット受信装置とを備え、ＥＴＨＥＲＮＥＴ（登録商標）網を介して音声通信を行うＲＴＰパケット通信システムであって、ＲＴＰパケット送信装置には、音声１チャネルに複数のＵＤＰポート番号を割り当てる第１の呼設定手段と、第１の呼設定手段の指示で複数のＵＤＰポートでＲＴＰパケットにエンコードするＲＴＰパケットエンコーダとが設けられるとともに、ＲＴＰパケット受信装置には、音声１チャネルに関して複数のＵＤＰポートのＲＴＰパケットのみデコードさせる第２の呼設定手段と、第２の呼設定手段が指示したＵＤＰポートのみＲＴＰパケットをデコードするＲＴＰパケットデコーダとが設けられ、音声１チャネルを複数のＵＤＰポートを使用して通信を行うＲＴＰパケット通信システムであり、正規のＲＴＰパケット送信装置とＲＴＰパケット受信装置間では正しく通信を行うことができ、容易に盗聴することができなくなるという効果を有するものである。
【００１３】
第２の発明は、第１の発明に従属する発明であって、第１の呼設定手段が、第１の呼設定手段が、通信の設定を行うために音声チャネルが使用するＵＤＰポート番号を示す呼設定パケットを出力し、ＲＴＰパケット送信装置がＲＴＰパケット受信装置に呼設定パケットを格納したＥＴＨＥＲＮＥＴ（登録商標）パケットを送信してから、音声通信のためのＲＴＰパケットを格納したＥＴＨＥＲＮＥＴ（登録商標）パケットを送信するＲＴＰパケット通信システムであり、容易に盗聴することができなくなるという効果を有するものである。
【００１４】
第３の発明は、第２の発明に従属する発明であって、第１の呼設定手段が、呼設定パケットを暗号化して出力するＲＴＰパケット通信システムであり、更に確実に盗聴することができなくなるという効果を有するものである。
【００１５】
第４の発明は、ＥＴＨＥＲＮＥＴ（登録商標）網を介してＲＴＰパケット通信を行うＲＴＰパケット送信装置であって、音声１チャネルに複数のＵＤＰポート番号を割り当てる呼設定手段と、呼設定手段の指示で複数のＵＤＰポートでＲＴＰパケットにエンコードするＲＴＰパケットエンコーダとを備えたＲＴＰパケット送信装置であり、容易に盗聴することができなくなるという効果を有するものである。
【００１６】
第５の発明は、ＥＴＨＥＲＮＥＴ（登録商標）網を介してＲＴＰパケット通信を行うＲＴＰパケット受信装置であって、音声１チャネルに関して呼設定パケットで示された複数のＵＤＰポートのＲＴＰパケットのみデコードするように指示する呼設定手段と、呼設定手段が指示したＵＤＰポートのみＲＴＰパケットをデコードするＲＴＰパケットデコーダとを備えたＲＴＰパケット受信装置であり、容易に盗聴することができなくなるという効果を有するものである。
【００１７】
第６の発明は、音声１チャネルに複数のＵＤＰポート番号を割り当て、音声１チャネルにつき複数のＵＤＰポートを使用してＲＴＰパケットにエンコードし、該ＲＴＰパケットを格納したＥＴＨＥＲＮＥＴ（登録商標）パケットをＥＴＨＥＲＮＥＴ（登録商標）網に送信し、受信後に得られたＲＴＰパケットを複数のＵＤＰポートのみでデコードして音声出力するＲＴＰパケット通信方法であり、正規の相手端末とは正しく通信を行うことができるという効果を有するものである。
【００１８】
第７の発明は、第６の発明に従属する発明であって、呼設定パケットを使ってＵＤＰポート番号を相手端末に伝達し、その後音声通信のためのＲＴＰパケットを送信するＲＴＰパケット通信方法であり、正規の相手端末とは正しく通信を行うことができるという効果を有するものである。
【００１９】
第８の発明は、第７の発明に従属する発明であって、呼設定パケットを暗号化するＲＴＰパケット通信方法であり、更に確実に盗聴できないという効果を有するものである。
【００２０】
（実施の形態１）
以下、本発明の実施の形態１について、図１に基づいて説明する。図１は本発明の実施の形態１におけるＲＴＰパケット通信システムのブロック図である。図１において、１はＡ／Ｄコンバータ、２はＲＴＰパケットエンコーダ、３はＥＴＨＥＲＮＥＴ（登録商標）コントローラ、４はＥＴＨＥＲＮＥＴ（登録商標）網、５はＥＴＨＥＲＮＥＴ（登録商標）コントローラ、６はＲＴＰパケットデコーダ、７はＤ／Ａコンバータ、８は呼設定手段（本発明の第１の呼設定手段）、９は呼設定手段（本発明の第２の呼設定手段）、１０はＲＴＰパケット送信装置、１１はＲＴＰパケット受信装置である。ＲＴＰパケット送信装置１０とＲＴＰパケット受信装置１１が実施の形態１のＲＴＰパケット通信装置を構成する。
【００２１】
まず、通信の設定を行う第一段階において、ＲＴＰパケット送信装置１０からＲＴＰパケット受信装置１１に呼設定パケットが送信される。すなわち、ＲＴＰパケット送信装置１０において、呼設定手段８はいずれのＵＤＰポート番号を使用するかを示す呼設定パケットを出力する。このとき、ＵＤＰポート番号は複数のＵＤＰポート番号、実施の形態１においては図１に示す「８０００」「８００２」「８０１０」「８０１６」という４つのＵＤＰポートが使用されることが呼設定パケットで示される。また、どのＵＤＰポート番号が使用されるか第三者に分からないように呼設定パケットは暗号化される。そして、この暗号化を実行するため呼設定手段８には暗号化手段が設けられる。
【００２２】
同時に呼設定手段８は、使用する複数のＵＤＰポート番号「８０００」「８００２」「８０１０」「８０１６」を用いてＲＴＰパケットをエンコードするように、ＲＴＰパケットエンコーダ２に対しエンコーダ制御コマンドを出力する。さらにＥＴＨＥＲＮＥＴ（登録商標）コントローラ３は、呼設定パケットをＥＴＨＥＲＮＥＴ（登録商標）パケットに格納して、ＥＴＨＥＲＮＥＴ（登録商標）網４に送信する。
【００２３】
ＲＴＰパケット受信装置１１では、ＥＴＨＥＲＮＥＴ（登録商標）コントローラ５が、ＥＴＨＥＲＮＥＴ（登録商標）網４から受信したＥＴＨＥＲＮＥＴ（登録商標）パケットから呼設定パケットを抽出して出力する。呼設定手段９は、入力される呼設定パケットから、複数のいずれのＵＤＰポート番号が使用されるかを認識し、使用される複数のＵＤＰポート番号「８０００」「８００２」「８０１０」「８０１６」のみを用いてＲＴＰパケットをデコードするように、ＲＴＰパケットデコーダ６に対しデコーダ制御コマンドを出力する。呼設定手段８で暗号化が行われる場合には、呼設定手段９に解読手段が設けられる。
【００２４】
音声通話を行う第二段階では、ＲＴＰパケット送信装置１０からＲＴＰパケット受信装置１１にＲＴＰパケットが送信される。ＲＴＰパケット送信装置１０において、Ａ／Ｄコンバータ１は入力されたアナログ音声１チャネル（１ｃｈ）分の信号のアナログデジタル変換を行い、ＰＣＭ音声データとして出力する。ＲＴＰパケットエンコーダ２は、呼設定手段８から出力されるエンコーダ制御コマンドで示される複数のＵＤＰポート番号を用い、ＲＴＰパケットのエンコードを行う。いずれのタイミングで単一のＵＤＰポート番号のみをデコードを行っても音声として認識できないようにするため、連続する順序番号のＲＴＰパケットが異なるＵＤＰポート番号を使用するようにエンコードを行う。ＥＴＨＥＲＮＥＴ（登録商標）コントローラ３は、ＲＴＰパケットをＥＴＨＥＲＮＥＴ（登録商標）パケットに格納して、ＥＴＨＥＲＮＥＴ（登録商標）網４に送信する。
【００２５】
ＲＴＰパケット受信装置１１においては、ＥＴＨＥＲＮＥＴ（登録商標）コントローラ５が、ＥＴＨＥＲＮＥＴ（登録商標）網４から受信したＥＴＨＥＲＮＥＴ（登録商標）パケットからＲＴＰパケットを抽出して出力する。ＲＴＰパケットデコーダ６は、呼設定手段９から出力されるデコータ制御コマンドで指示されるＵＤＰポート番号、ここでは「８０００」「８００２」「８０１０」「８０１６」のＲＴＰパケットのみデコードを行う。ＲＴＰパケットデコーダ６でデコードされたＲＴＰパケットはＰＣＭ音声データとして出力される。Ｄ／Ａコンパータ７は入力されたＰＣＭ音声データのデジタルアナログ変換をおこない、アナログ音声１チャネル（１ｃｈ）分の信号として出力する。
【００２６】
以上の説明から明らかなように、本発明のＲＴＰパケット通信システムとＲＴＰパケット通信方法では、複数のいずれのＵＤＰポート番号が使用されたかが第三者に分かりづらいため、容易に盗聴することができない。また、追加のハードウェアなしでソフトウェアのみで実現されるために、コスト増にはならない。さらに、ＲＴＰパケット自体を暗号するわけではないので、リアルタイム性がそこなわれる原因にもならない。
【産業上の利用可能性】
【００２７】
ＩＰ網で音声通信を行うＲＴＰパケット通信システム、とくに容易に盗聴することができないＲＴＰ通信システム、ＲＴＰ送受信装置、およびＲＴＰパケット通信方法に利用することができる。
【図面の簡単な説明】
【００２８】
【図１】本発明の実施の形態１におけるＲＴＰパケット通信システムのブロック図
【図２】従来のＲＴＰパケット通信システムのブロック図
【符号の説明】
【００２９】
１，１２    Ａ／Ｄコンバータ
２，１３    ＲＴＰパケットエンコーダ
３，１４    ＥＴＨＥＲＮＥＴ（登録商標）コントローラ
４，１５    ＥＴＨＥＲＮＥＴ（登録商標）網
５，１６    ＥＴＨＥＲＮＥＴ（登録商標）コントローラ
６，１７    ＲＴＰパケットデコーダ
７，１８    Ｄ／Ａコンバータ
８，９，１９，２０    呼設定手段
１０，２１    ＲＴＰパケット送信装置
１１，２２    ＲＴＰパケット受信装置
【図１】
2005167897.tif 000003
【図２】
2005167897.tif 000004